(57)【要約】      （修正有）【課題】ミュート機構を備えていても楽器の開口部から出る音を忠実に収音することができるミュート機構付マイクロフォンを提供する。【解決手段】ミュート機構付マイクロフォンは、演奏により音が出力される開口を有する楽器に装着される。ミュート機構１は、開口に装着されて楽器の内方と外方を連通する透孔２ａを形成した外側ケースと、この外側ケース内に装着されて透孔２ａの開口面積を可変する内側ケース３とを備える。内側ケース３には、楽器の内方に向けてマイクロフォンが取り付けられ、楽器から発生する音を収音する。【選択図】図１
2020058033.tif 000002
【特許請求の範囲】
【請求項１】
演奏により音が出力される開口を有する楽器に装着されるミュート機構であって、
前記ミュート機構は、前記開口に装着されて前記楽器の内方と外方を連通する透孔を形成した外側ケースと、前記外側ケース内に装着されて前記透孔の開口面積を可変する内側ケースとを備え、
前記内側ケースには前記楽器の内方に向けてマイクロフォンが取り付けられて、前記楽器から発生する音を収音することを特徴とするミュート機構付マイクロフォン。
【請求項２】
前記内側ケースは半円筒状に形成され、前記外側ケースは前記内側ケースを回転自在に設置するように円筒部が形成され、前記外側ケースの前記楽器の内方側には半円形の前記透孔が形成され、前記内側ケースの回転により前記外側ケースの前記透孔を開閉させる請求項１に記載のミュート機構付マイクロフォン。
【発明の詳細な説明】
【技術分野】
【０００１】  本発明は、音の出る開口を有する楽器に装着されるミュート機構付マイクロフォン関する。
【背景技術】
【０００２】  従来、音の出る開口を有する楽器の収音を行う際は、汎用のマイクロフォンを開口部に向け収音するのが一般的である。マイクロフォンで収音した音声は、音響機器で音量等の調整や雑音の処理を行い、最終的にスピーカーから再生される。【０００３】  一方、楽器は、演奏する曲に応じて音量や音質を変化させるためにミュートを装着し、このミュートは演奏者が適宜に操作している。
【発明の概要】
【発明が解決しようとする課題】
【０００４】  汎用マイクロフォンを楽器の開口部に設置して収音すると、共鳴音や、外部の雑音も一緒に収音してしまうため楽器本来の音を忠実に収音することが難しい。【０００５】  一方、楽器に音量や音質を変化させるためのミュートと、マイクロフォンの両者を装着するには、一般的に個々の場所に装着することから、マイクロフォンの装着によって楽器の音質が変化することがあり、また、ミュートとマイクロフォンを個々に装着するため、構成が複雑になるとともに、演奏時に邪魔になり、良好な演奏ができないことがある。【０００６】  本発明の課題は、ミュート機構を備えていても楽器の開口部から出る音を忠実に収音することができるミュート機構付マイクロフォンを提供することにある。
【課題を解決するための手段】
【０００７】  本発明によるミュート機構付マイクロフォンは、演奏により音が出力される開口を有する楽器に装着されるミュート機構であって、前記ミュート機構は、前記開口に装着されて前記楽器の内方と外方を連通する透孔を形成した外側ケースと、前記外側ケース内に装着されて前記透孔の開口面積を可変する内側ケースとを備え、前記内側ケースには前記楽器の内方に向けてマイクロフォンが取り付けられて、前記楽器から発生する音を収音することを要旨としている。【０００８】  また、前記内側ケースは半円筒状に形成され、前記外側ケースは前記内側ケースを回転自在に設置するように円筒部が形成され、前記外側ケースの前記楽器の内方側には半円形の前記透孔が形成され、前記内側ケースの回転により前記外側ケースの前記透孔を開閉させるようにしている。
【発明の効果】
【０００９】  本発明のよるミュート機構付マイクロフォンによれば、ミュート機構にマイクロフォンを設けているので、楽器の開口部から出る音をマイクロフォンにより忠実に収音することができる。さらに、ミュート機構により、楽器の開口の開口面積を可変できるので、共鳴音の適度な抑制が可能となり、多様な音色に変化させることができ、しかも、楽器の開口部から出る音の強弱を容易に可変することが可能となる。しかも、ミュートとマイクロフォンが一体化させているので、構成が簡易となって演奏時に邪魔することがなく、良好に演奏することが可能となる。また、マイクロフォンが楽器の内方に向けて内側ケースに設けているので、ミュート機構により開口の面積を可変することにより、外部の雑音を楽器内部に入ることを防ぐことができ、良好な音質で収音することができる。【００１０】  さらに、内側ケースを半円筒状に形成して外側ケースに回転自在に設置し、外側ケースに半円形の透孔が形成されているので、内側ケースを回転させることにより、外側ケースの透孔の開口が開閉され、これにより、楽器の開口の開口面積を容易に可変させることができるので、確実なミュート機能を得ることが可能となる。
【図面の簡単な説明】
【００１２】
【図１】ミュート調整機構付きマイクロフォンを示す正面側斜視図
【図２】ミュート調整機構付きマイクロフォンを示す背面側斜視図
【図３】ミュート調整機構付きマイクロフォンの断面図
【図４】ミュート調整機構付きマイクロフォンを装着したカホンの斜視図
【発明を実施するための形態】
【００１１】  以下、本発明によるミュート機構付マイクロフォンの実施形態を図１〜図４に基づいて説明する。本発明のミュート機構付マイクロフォンは、演奏により音が出力される開口を有する楽器に適用できるが、好適な実施例として、図４に示すカホン１０に適用したミュート機構付マイクロフォンについて説明する。
【００１２】  カホン１０は、ペルー発祥の打楽器（体鳴楽器）の一種であり、楽器自体に跨って演奏される。カホン１０は中が空洞の直方体の形状をしていて、通常は側面に１つだけ打面を持ち、打面以外のある１つの面には、演奏により音が出力される円形の開口１１（サウンドホール）が空けられている。打面の裏には弦や鈴などを仕込むことが多く、これらを仕込ませることにより特徴的なバズ音を得ることができる。ミュート機構付マイクロフォンは、カホン１０の開口１１に装着される。
【００１３】  ミュート機構１は、円形の開口１１に装着され、図１〜図３に示すように、カホン１０の内方と外方を連通する透孔２ａを形成した外側ケース２と、この外側ケース２内に装着されて、透孔２ａの開口面積を可変する内側ケース３とを備えている。さらに、内側ケース３には、カホン１０の内方に向けてマイクロフォン４が取り付けられ、カホン１０の開口１１を通して発生する音を収音するようにしている。
【００１４】  外側ケース２は略円筒状に形成され、カホン１０の内方側には略半円形の透孔２ａが形成されている。また、外方側にはカホン１０の壁面に当接するように開口１１よりも大きな外径としたフランジ２ｂが形成されている。このフランジ２ｂによって外側ケース２をカホン１０に固定している。なお、外側ケース２の外周には、クッション材５が取り付けられ、振動による外側ケース２の共振を防止するとともに、外周の隙間からの音漏れを防止するようにしている。
【００１５】  また、内側ケース３は、半円筒状に形成され、外径は外側ケース２の内方に回転自在に装着される寸法に設定されている。内側ケース３の内部には空間が形成され、マイクロフォン４の出力信号を処理する電子回路７及び電源となる電池８が内蔵されている。さらに、内側ケース３の外方側には、電子回路７の出力信号を外部のアンプ等に伝達するために出力端子６が取り付けられている。この内側ケース３には、回転操作を容易にするためのハンドル３ａを設けても良い。
【００１６】  さらに、マイクロフォン４は、外側ケース２内方側であって中心軸の先端に取り付けられ、カホン１０の内方に向けられ、カホン１０の内部の音を収音するようにしている。この位置にマイクロフォン４を取り付けることにより、カホン１０の外部の雑音を軽減し、カホン１０本来の音を収音することが可能となる。なお、使用されるマイクロフォン４としては、汎用のマイクロフォンで良く、内側ケース３の回転操作を邪魔しない形状としている。そして、マイクロフォン４の出力は、上述した電子回路に接続されている。
【００１７】  次に、ミュート機構付マイクロフォンの操作方法について説明する。外側ケース２には略半円形の透孔２ａが形成され、内側ケース３は半円筒状に形成されているので、内側ケース３を外側ケース２の透孔２ａが開口するように回転させると、透孔２ａが全開される状態となり、カホン１０の内部の音が外方に出される。カホン１０から出される音質を調整するときは、内側ケース３を回転させることにより、外側ケース２の透孔２ａが閉じられことにより開口面積が小さくなって、カホン１０から外方に出される音が小さくなるとともに、カホン１０内部の音の振動が変化するために音質が変化する。この音量と音質の変化は、演奏する曲目、或いは演奏者の技量によって透孔２ａの開閉状態を変えることができる。このように、内側ケース３を回転操作しても、マイクロフォン４は、外側ケース２内方側での中心に取り付けられているので、カホン１０本来の音質を忠実に収音することができる。
【００１８】  上述したカホンは、音が出力される開口１１（サウンドホール）が円形であることから、内側ケース３と内側ケース３を円形に形成し、半円形の開口となるように構成したが、開口面積を可変する手段としては、引き戸のようにスライドさせる方式、開き戸のように開く方式、アコーディオンカーテンのようなジャバラ方式など、様々な方式が適用できる。また、方式の違いにより、開口の形状を弓張月状、円形、四角、三角、楕円、扇など、様々な形状にすることができる。さらに、音が出る開口を有する楽器としては、カホンの他に、バスドラム、ボンゴ、コンガ、ジャンベなどの打楽器や、ギター、バイオリンなどの弦楽器、また、トランペットやトロンボーンなどの管楽器など、音の出る開口を有する様々な楽器に適用可能である。
【００１９】  以上、本発明を実施例に基づき具体的に説明したが、本発明は上記実施例に限定されるものではなく、その要旨を逸脱しない範囲で種々変形可能であることは言うまでもない
【符号の説明】
【００２０】  １  ミュート機構
２  外側ケース
２ａ透孔
３  内側ケース
４  マイクロフォン
１０  打楽器カホン
１１  開口
【図１】
2020058033.tif 000003
【図２】
2020058033.tif 000004
【図３】
2020058033.tif 000005
【図４】
2020058033.tif 000006